(57)【要約】【課題】本発明は、機械室レスエレベータの制御機器を床面上に強固に設置し、制御機器の共用化を図ることを目的とするものである。【解決手段】据付台本体２１は、機械室２の床面２ａに固定設置された台座部２６と、台座部２６上に鉛直に立設されている左右一対の支持柱（制御機器取付部）２７とを有している。固定板２２は、左右の支持柱２７間に取り付けられている。制御機器６の上下端部は、固定板２２に取り付けられている。即ち、制御機器６は、固定板２２を介して据付台本体２１に取り付けられている。第１の配線カバー２３は、電線３０を覆うように、制御機器６の下部で支持柱２７間に取り付けられている。【選択図】図２
2013035661.tif 000002
【特許請求の範囲】
【請求項１】
床面に固定設置される台座部と、前記台座部上に立設されている制御機器取付部とを有する据付台本体、
前記制御機器取付部に取り付けられ、エレベータの制御機器が取り付けられる固定板、及び
前記据付台本体に取り付けられ、前記制御機器に接続された電線を覆う配線カバー
を備えていることを特徴とするエレベータの制御機器据付台。
【請求項２】
前記制御機器取付部は、互いに間隔をおいて配置された一対の支持柱であり、
前記固定板は、前記支持柱間に取り付けられており、
前記固定板の前記支持柱への取付位置が上下方向へ調節可能になっていることを特徴とする請求項１記載のエレベータの制御機器据付台。
【請求項３】
前記支持柱には、複数の支持柱側取付孔が上下方向に互いに間隔をおいて設けられていることを特徴とする請求項２記載のエレベータの制御機器据付台。
【請求項４】
前記台座部は、配線ダクトを兼ねた構造となっていることを特徴とする請求項１から請求項３までのいずれか１項に記載のエレベータの制御機器据付台。
【発明の詳細な説明】
【技術分野】
【０００１】
この発明は、エレベータの制御機器を機械室等の床面上に据え付けるための制御機器据付台に関するものである。
【背景技術】
【０００２】
一般に、機械室レスエレベータの制御機器は、その上下端部を昇降路壁などの強固な構造物に固定することにより、昇降路内に鉛直に設置される。また、昇降路内の限られたスペースに配置されるため、奥行き寸法が小さい薄型の筐体が用いられている（例えば、特許文献１参照）。
【０００３】
一方、機械室を有するエレベータの制御機器は、機械室の床面上に自立するかたちで、地面に対して水平に固定設置される構造が一般的であり、地震等の外力に対して耐えうる強度を有している。また、機械室内に設置される制御機器では、筐体内へのねずみ等の侵入を防止するため、筐体に大きな開口部を設けないようにしており、筺体下部の電線の入線部も電線が露出しないように覆われている（例えば、特許文献２参照）。
【先行技術文献】
【特許文献】
【０００４】
【特許文献１】特開２０００−１５９４５３号公報
【特許文献２】特開２００５−６７８８０号公報
【発明の概要】
【発明が解決しようとする課題】
【０００５】
上記のような従来の機械室レスエレベータの制御機器は、筺体単体での強度が十分ではなく、床面上に自立させて設置することが困難であるため、機械室を有するエレベータに適用することができず、機械室レスエレベータと機械室を有するエレベータとで制御機器を共用化することができない。このため、制御機器の種類が増え、それぞれの生産設備が必要となる等の問題点があった。
【０００６】
この発明は、上記のような課題を解決するためになされたものであり、機械室レスエレベータの制御機器を床面上に強固に設置することができ、制御機器の共用化を図ることができるエレベータの制御機器据付台を得ることを目的とする。
【課題を解決するための手段】
【０００７】
この発明に係るエレベータの制御機器据付台は、床面に固定設置される台座部と、台座部上に立設されている制御機器取付部とを有する据付台本体、制御機器取付部に取り付けられ、エレベータの制御機器が取り付けられる固定板、及び据付台本体に取り付けられ、制御機器に接続された電線を覆う配線カバーを備えている。
【発明の効果】
【０００８】
この発明のエレベータの制御機器据付台は、床面に固定設置された据付台本体に固定板を介して制御機器を取り付け、さらに、電線を覆う配線カバーを据付台本体に取り付けるので、機械室レスエレベータの制御機器を床面上に強固に設置することができ、電線が露出することもなく、機械室レスエレベータと機械室を有するエレベータとで制御機器の共用化を図ることができる。
【図面の簡単な説明】
【０００９】
【図１】この発明の実施の形態１によるエレベータを示す概略の構成図である。
【図２】図１の制御機器据付台を示す正面図である。
【図３】図２の制御機器据付台を示す右側面図である。
【図４】図２の制御機器据付台を示す背面図である。
【図５】図２の制御機器据付台への制御機器の第２の配置例を示す右側面図である。
【図６】図５の制御機器据付台を示す背面図である。
【図７】図２の制御機器据付台への制御機器の第３の配置例を示す右側面図である。
【図８】図７の制御機器据付台を示す背面図である。
【発明を実施するための形態】
【００１０】
以下、この発明を実施するための形態について、図面を参照して説明する。
実施の形態１．
図１はこの発明の実施の形態１によるエレベータを示す概略の構成図である。図において、昇降路１の上部には、機械室２が設けられている。機械室２には、巻上機（駆動装置）３が設置されている。巻上機３は、駆動シーブ４と、駆動シーブ４を回転させる巻上機モータと、駆動シーブ４の回転を制動する巻上機ブレーキ（電磁ブレーキ）とを有している。
【００１１】
機械室２の床面には、制御機器据付台５が設置されている。制御機器据付台５には、巻上機３を制御する制御機器（制御盤）６が取り付けられている。制御機器６は、機械室レスエレベータにも適用可能な縦長薄型のものであり、筐体に自立するための構造を有していない。
【００１２】
駆動シーブ４の近傍には、そらせ車７が配置されている。駆動シーブ４及びそらせ車７には、懸架手段８が巻き掛けられている。懸架手段８としては、複数本のロープ又は複数本のベルトが用いられている。懸架手段８の第１端部には、かご９が接続されている。懸架手段８の第２端部には、釣合おもり１０が接続されている。
【００１３】
かご９及び釣合おもり１０は、懸架手段８により昇降路１内に吊り下げられており、巻上機３により昇降路１内を昇降される。制御機器６は、巻上機３を制御することにより、かご９の運行を制御する。
【００１４】
かご９には、かご出入口を開閉するかごドア装置１１が設けられている。複数階の乗場には、それぞれ乗場ドア装置１２が設けられている。乗場ドア装置１２は、かご９の着床時にかごドア装置１１が係合することにより、かごドア装置１１に連動して開閉動作される。
【００１５】
図２は図１の制御機器据付台５を示す正面図、図３は図２の制御機器据付台５を示す右側面図、図４は図２の制御機器据付台５を示す背面図である。制御機器据付台５は、据付台本体２１と、複数（ここでは上下一対）の固定板２２と、第１及び第２の配線カバー２３，２４と、ダクト塞ぎ板２５とを有している。
【００１６】
据付台本体２１は、機械室２の床面２ａに固定設置された台座部２６と、台座部２６上に鉛直に立設されている左右一対の支持柱（制御機器取付部）２７とを有している。支持柱２７は、水平方向に互いに間隔をおいて互いに平行に配置されている。
【００１７】
台座部２６は、床面２ａに固定された複数本のアンカーボルト２８に強固に固定されている。また、台座部２６には、アンカーボルト２８を通す複数の固定孔が設けられている。さらに、据付後には、床面２ａ上にシンダーコンクリート２９等が敷き詰められ、台座部２６はシンダーコンクリート２９内に埋設される。
【００１８】
固定板２２は、ボルト・ナット等の締結具を用いて、左右の支持柱２７間に取り付けられている。また、固定板２２は、上下方向に互いに間隔をおいて互いに平行かつ水平に配置されている。
【００１９】
支持柱２７には、固定板２２や第１及び第２の配線カバー２３，２４を取り付けるための複数の支持柱側取付孔２７ａが設けられている。支持柱側取付孔２７ａは、上下方向に互いに等間隔をおいて配置されている。
【００２０】
制御機器６の上下端部は、ボルト・ナット等の締結具を用いて、固定板２２に取り付けられている。即ち、制御機器６は、固定板２２を介して据付台本体２１に取り付けられている。
【００２１】
固定板２２の支持柱２７への取付位置は、制御機器６のサイズ（上下方向寸法）に応じて支持柱側取付孔２７ａを選択することにより、上下方向へ調節可能になっている。固定板２２には、固定板２２を支持柱２７に取り付けたり、制御機器６を固定板２２に取り付けたりするための複数の固定板側取付孔２２ａが設けられている。
【００２２】
制御機器６には、複数本の電線３０が接続されている。第１の配線カバー２３は、電線３０を覆うように、ボルト・ナット等の締結具を用いて、制御機器６の下部で支持柱２７間に取り付けられている。第２の配線カバー２４は、制御機器６の背面側全体を覆うように、ボルト・ナット等の締結具を用いて、制御機器６とは反対側で支持柱２７間に取り付けられている。
【００２３】
台座部２６内には空洞が設けられており、この空洞は電線３０の余長を処理するスペースとして使用可能となっている。即ち、台座部２６は、配線ダクトを兼ねた構造となっている。台座部２６には、電線３０を外部へ引き出す複数の配線ダクト口２６ａが設けられている。
【００２４】
床面２ａ上には、他機器間ダクト３１が敷設されている（図３）。他機器間ダクト３１は、配線ダクト口２６ａに隣接している。配線ダクト口２６ａから引き出された電線３０は、他機器間ダクト３１内を通されて他の機器に接続される。他機器間ダクト３１は、据付後にシンダーコンクリート２９内に埋設される。使用しない配線ダクト口２６ａは、ダクト塞ぎ板２５により塞がれている（図４）。
【００２５】
このようなエレベータの制御機器据付台５では、床面２ａに固定設置された据付台本体２１に固定板２２を介して制御機器６を取り付け、さらに、電線３０を覆う配線カバー２３，２４を据付台本体２１に取り付けるので、壁など地面に対して鉛直方向に固定設置する構造の制御機器６を床面２ａ上に強固に設置することができ、かつ電線３０が露出することもなく、機械室レスエレベータと機械室２を有するエレベータとで制御機器６の共用化を図ることができる。
【００２６】
また、固定板２２の支持柱２７への取付位置が上下方向へ調節可能になっているので、サイズの異なる制御機器６にも容易に対応することができる。
さらに、支持柱２７には支持柱側取付孔２７ａが上下方向に互いに間隔をおいて設けられているので、固定板２２の支持柱２７への取付位置の調節を可能にしつつ、固定板２２を支持柱２７に強固に固定することができる。
さらにまた、台座部２６が配線ダクトを兼ねた構造となっているので、据付台本体２１の下部に別途ダクトを設ける必要がない。
【００２７】
ここで、図５は図２の制御機器据付台５への制御機器の第２の配置例を示す右側面図、図６は図５の制御機器据付台５を示す背面図であり、正面図は図２と同じである。図において、据付台本体２１の裏面には、第２の制御機器３２、第３の制御機器３３、第２の配線カバー３４及び第３の配線カバー３５が取り付けられている。これらの取付方法は、制御機器（第１の制御機器）６及び第１の配線カバー２３と同様である。また、第２及び第３の制御機器３２，３３は、上下に並べて配置されている。
【００２８】
さらに、第１の制御機器６に接続された電線３０は、台座部２６の正面の配線ダクト口２６ａから引き出されており、第２及び第３の制御機器３２，３３に接続された電線３０は、台座部２６の背面の配線ダクト口２６ａから引き出されている。
【００２９】
このように、２個以上の制御機器６，３２，３３を据付台本体２１の両面に振り分けて配置することもできる。
また、１つの面内に２個以上の制御機器３２，３３を上下に並べて配置することもできる。
【００３０】
次に、図７は図２の制御機器据付台５への制御機器の第３の配置例を示す右側面図、図８は図７の制御機器据付台５を示す背面図であり、正面図は図２と同じである。図において、据付台本体２１の裏面には、第２の制御機器３６、第３の制御機器３７、第２の配線カバー３８及び第３の配線カバー３９が取り付けられている。これらの取付方法は、第１の制御機器６及び第１の配線カバー２３と同様である。また、第２及び第３の制御機器３６，３７は、左右に並べて配置されている。さらに、第２及び第３の制御機器３６，３７は、共通の固定板２２に固定されている。
【００３１】
このように、１つの面内に２個以上の制御機器３６，３７を左右に並べて配置することもできる。
また、第２の配置例と第３の配置例とを組み合わせて、３個以上の制御機器を上下左右に並べて配置することもできる。
【００３２】
なお、上記の説明では、エレベータの制御機器を機械室２の床面上に据え付ける場合について述べたが、この発明の制御機器据付台は、例えば製作時、評価試験時又は展示時等に、制御機器を自立状態で保持したい場合にも利用できる。
また、上記の説明では、制御機器６がかご９の運行を制御すると述べたが、この発明の制御機器据付台に取り付けられる制御機器の機能はこれに限定されるものではなく、例えばエレベータの安全監視を行うもの（電子安全装置）などであってもよい。
さらに、この発明を適用するエレベータのレイアウトは図１に限定されるものではなく、例えば２：１ローピングのエレベータ、ダブルデッキエレベータ、ワンシャフトマルチカー方式のエレベータ等にもこの発明は適用できる。
【符号の説明】
【００３３】
２ａ  床面、５  制御機器据付台、６  制御機器（第１の制御機器）、２１  据付台本体、２２  固定板、２３  第１の配線カバー、２４，３４，３８  第２の配線カバー、２６  台座部、２７  支持柱（制御機器取付部）、２７ａ  支持柱側取付孔、３０  電線、３２，３６  第２の制御機器、３３，３７  第３の制御機器、３５，３９  第３の配線カバー。
【図１】
2013035661.tif 000003
【図２】
2013035661.tif 000004
【図３】
2013035661.tif 000005
【図４】
2013035661.tif 000006
【図５】
2013035661.tif 000007
【図６】
2013035661.tif 000008
【図７】
2013035661.tif 000009
【図８】
2013035661.tif 000010